(57)【特許請求の範囲】
【請求項１】
横向き円筒形状の湿分分離加熱器本体胴の内部に湿分分離エレメントを設け、かつ当該湿分分離エレメントの上側に伝熱管を備えた加熱器を設けて成り、サイクル蒸気中の湿分を除去した後に蒸気により再熱し過熱蒸気として供給する湿分分離加熱器の加熱器挿入装置において、
前記湿分分離加熱器本体胴の内部に前記加熱器を挿入するワイヤーロープと、前記ワイヤーロープにより加熱器を挿入する際に当該ワイヤーロープを前記加熱器後部に取付けるワイヤーロープ取付治具と、前記湿分分離加熱器本体胴の内部に取付けられ、前記ワイヤーロープを引込むための電動牽引装置と、前記電動牽引装置を取付ける２分割構成の電動牽引装置取付治具と、前記湿分分離加熱器本体胴の外部に設置され、前記加熱器を支える挿入台車と、前記挿入台車を前記湿分分離加熱器本体胴の側へ導く挿入レールとを備え、
前記挿入台車は挿入台車上部と挿入台車下部に２分割され、これら挿入台車上部と挿入台車下部との間にスペーサを挿入して高さが調整可能な構成にしたことを特徴とする湿分分離加熱器の加熱器挿入装置。
【請求項２】
請求項１記載の湿分分離加熱器の加熱器挿入装置において、前記電動牽引装置として２個の電動牽引装置を使用し、連動による車両同時挿入、または単動による片側挿入を行うようにしたことを特徴とする湿分分離加熱器の加熱器挿入装置。
【発明の詳細な説明】
【０００１】
【発明の属する技術分野】
本発明は、例えば原子力発電プラントにおいて使用される湿分分離加熱器の加熱器挿入装置に係り、特に作業人員、および作業時間を削減し、しかも他の作業にも影響を与えないようにして、加熱器の挿入作業を安全に行なえるようにした湿分分離加熱器の加熱器挿入装置に関するものである。
【０００２】
【従来の技術】
一般に、例えば原子力発電プラントにおいては、高圧タービンから排出されたサイクル蒸気中の湿分を除去した後に、高圧タービン抽気蒸気および原子炉発生蒸気により再熱して過熱蒸気とし、低圧タービンに供給する目的で、湿分分離加熱器が設置されている。
【０００３】
図７はこの種の湿分分離加熱器の一例を示す概要図、図８は図７のＩ−Ｉ線に沿って破断した湿分分離加熱器の断面図である。
図７および図８において、湿分分離加熱器は、横向き円筒形状の湿分分離加熱器本体胴１の内部に、湿分分離エレメント２と、その上側に第１段加熱器３ａおよび第２段加熱器３ｂとを内蔵しており、第１段加熱器３ａは高圧タービン抽気蒸気４により再熱され、第２段加熱器３ｂは原子炉発生蒸気５により再熱される。
【０００４】
また、第１段加熱器３ａおよび第２段加熱器３ｂは、それぞれ内部が仕切板６ａ，および６ｂによって隔離された加熱蒸気ヘッダ７ａ，および７ｂと、これらの加熱蒸気ヘッダ７ａ，および７ｂの２室間を連通するＵの字状伝熱管８ａ，および８ｂとから構成されている。
【０００５】
一方、サイクル蒸気は、高圧タービンから排気された蒸気が、サイクル蒸気入口９から湿分分離加熱器本体胴１内に流入して、そこで２分された後に、湿分分離エレメント２を通る。
【０００６】
この湿分分離エレメント２を通る際に、湿分が除去され、ドレンはドレン出口１０より排出される。また、湿分分離エレメント２で湿分が除去された乾気蒸気は、湿分分離エレメント２の出口部で再び合流した後に、第１段加熱器３ａおよび第２段加熱器３ｂを通って再熱され、サイクル蒸気出口１１より湿分分離加熱器本体胴１の外部へ排出される。
【０００７】
一方、湿分分離加熱器本体胴１の内側に取り付けられた管束支持板１２上には、アウターレール１３ａ，および１３ｂがそれぞれ両側に取り付けてあり、その上部に銅合金製等のすべり板１４が取り付けられている。
【０００８】
また、第１段加熱器３ａおよび第２段加熱器３ｂには、インナーレール１５ａ，および１５ｂがそれぞれ両側に取り付けてあり、その下部にニッケル合金製等のすべり板１６が取り付けられており、上記銅合金製等のすべり板１４上を滑りながら、第１段加熱器３ａおよび第２段加熱器３ｂが挿入されていく。
【０００９】
さらに、湿分分離加熱器本体胴１の中央部には、人間の出入りのためにマンホール１７が設けられている。
ところで、以上のような構成の長さ３２ｍ、直径３．５ｍを越す湿分分離加熱器において、円筒形状の湿分分離加熱器本体胴１の内部に、長さ１５ｍ、重さ３０ＴＯＮを越す第１段加熱器３ａおよび第２段加熱器３ｂを挿入する場合、摩擦係数を０．３として考えると、挿入力は約１０ＴＯＮだけ必要になる。
【００１０】
以下、従来の湿分分離加熱器の第１段加熱器３ａの挿入方法の概要について、図９を一例として用いて説明する。
すなわち、図９に示すように、第１段加熱器３ａを天井クレーン１８で吊り上げ、湿分分離加熱器本体胴１内の中央部と第１段加熱器３ａの後部を、レバーブロック１９およびチェーンブロック等で結び、人の手を使って第１段加熱器３ａを挿入したり、加熱蒸気ヘッダ−７ａをオイルジャッキで押して第１段加熱器３ａを挿入する方法で行なっている。
【００１１】
しかしながら、このような加熱器の挿入方法では、作業人員を７〜８人必要とし、なおかつ１加熱器当り約１０時間の時間を必要とする。
また、加熱器蒸気ヘッダー７ａを天井クレーン１８で吊りながら作業を行なうため、他の作業がクレーン持ちとなったり、この作業がクレーン待ちとなったりして、結果的にスムーズに挿入作業が進まない。
さらに、人の手を使っての挿入作業であるため、左右同じ力で引き込むことができないし、安全上も危険を伴なう作業となっている。
【００１２】
【発明が解決しようとする課題】
以上のように、従来の湿分分離加熱器の加熱器の挿入方法においては、作業人員、作業時間が多く長くかかるばかりでなく、他の作業にも影響を与えてしまうという問題があった。
【００１３】
本発明の目的は、引き込み装置を電動化させて、作業人員、および作業時間を削減し、しかも他の作業にも影響を与えないようにして、加熱器の挿入作業を安全に行なうことが可能な湿分分離加熱器の加熱器挿入装置を提供することにある。
【００１４】
【課題を解決するための手段】
上記目的を達成するために、
まず、請求項１に対応する発明では、横向き円筒形状の湿分分離加熱器本体胴の内部に湿分分離エレメントを設け、かつ当該湿分分離エレメントの上側に伝熱管を備えた加熱器を設けて成り、サイクル蒸気中の湿分を除去した後に蒸気により再熱し過熱蒸気として供給する湿分分離加熱器の加熱器挿入装置において、前記湿分分離加熱器本体胴の内部に前記加熱器を挿入するワイヤーロープと、前記ワイヤーロープにより加熱器を挿入する際に当該ワイヤーロープを前記加熱器後部に取付けるワイヤーロープ取付治具と、前記湿分分離加熱器本体胴の内部に取付けられ、前記ワイヤーロープを引込むための電動牽引装置と、前記電動牽引装置を取付ける２分割構成の電動牽引装置取付治具と、前記湿分分離加熱器本体胴の外部に設置され、前記加熱器を支える挿入台車と、前記挿入台車を前記湿分分離加熱器本体胴の側へ導く挿入レールとを備え、前記挿入台車は挿入台車上部と挿入台車下部に２分割され、これら挿入台車上部と挿入台車下部との間にスペーサを挿入して高さが調整可能な構成とする。
【００１５】
従って、請求項１に対応する発明の湿分分離加熱器の加熱器挿入装置においては、引き込み方法を電動牽引装置とすることにより、作業人員および作業時間を削減させることができると共に、天井クレーンを使用しないために、他の作業に影響を与えないようにして、加熱器の挿入作業を安全に行なうことができる。
また、挿入台車は、挿入台車上部と挿入台車下部に２分割されているので、第１段加熱器及び第２段加熱器の下より容易に取り出すことができると共に、これら挿入台車上部と挿入台車下部との間にスペーサを挿入することにより、第１段加熱器及び第２段加熱器と挿入レールの高さに合うように調整することができる。
【００１６】
また、請求項２に対応する発明では、上記請求項１に対応する発明の湿分分離加熱器の加熱器挿入装置において、電動牽引装置として２個の電動牽引装置を使用し、連動による両側同時挿入、または単動による片側挿入を行なうようにしている。
【００１７】
従って、請求項２に対応する発明の湿分分離加熱器の加熱器挿入装置においては、電動牽引装置を２個備えることにより、連動にすると両側同時挿入、単動にすると片側だけの挿入を行なうことができて、左右の微調整が可能となり、品質面および加熱器の取り付け精度の面でも優れたものとなる。
【００１８】
【発明の実施の形態】
以下、本発明の一実施形態について図面を参照して詳細に説明する。
図１は本実施形態による湿分分離加熱器の加熱器挿入装置の構成例を示す概要図、図２は同湿分分離加熱器の加熱器挿入装置における電動牽引装置取付治具の構成例を示す概要図、図３は同湿分分離加熱器の加熱器挿入装置における電動牽引装置の構成例を示す概要図、図４は同湿分分離加熱器の加熱器挿入装置におけるワイヤーロープ取付治具の構成例を示す概要図、図５は同湿分分離加熱器の加熱器挿入装置におけるワイヤーロープ取付治具の取付状態を示す概要図、図６は同湿分分離加熱器の加熱器挿入装置における挿入台車の構成例を示す概要図である。
【００１９】
図１および図２において、電動牽引装置２０の下部には穴があいており、この電動牽引装置２０は、湿分分離加熱器本体胴１の内部に取り付けられた電動牽引装置取付治具２１に、反力を考慮したボルト２２およびナット２３により固定されている。
【００２０】
一方、電動牽引装置取付治具２１は、第１段加熱器３ａおよび第２段加熱器３ｂが挿入された後、マンホール１７から湿分分離加熱器本体胴１の外側に取り出す際、作業スペースが狭かったり、伝熱管８ａ，８ｂがむき出しになっていたりするため、取り出しが困難なので、２分割になるように作られており、ボルト２４およびナット２５により固定されている。
【００２１】
また、電動牽引装置取付治具２１は、管束支持板１２に、仮付溶接で固定されている。
さらに、電動牽引装置取付治具２１には、第２段加熱器３ｂ挿入用として、吊り耳２６および吊り耳固定板２７が取り付けられる構造になっている。
【００２２】
さらにまた、吊り耳２６および吊り耳固定板２７は、第１段加熱器３ａを挿入する時には必要ないので、取り外しができるようにボルトおよびナットにより固定できる構造になっている。
【００２３】
一方、電動牽引装置２０は、市販品のものであり、図３に示すように、まず電源が入ると、移動ブロック２８がワイヤーロープ２９をつかむことから始まる。この移動ブロック２８がワイヤーロープ２９をつかむと、固定ブロック３０が解放され、油圧によって移動ブロック２８が移動する。そして、最大ストロークまで移動ブロック２８が移動すると、固定ブロック３０がワイヤーロープ２９をつかみ、固定ブロック３０がワイヤーロープ２９をつかむと、移動ブロック２８が解放され、元の位置に戻ってくるという動作を繰り返して、ワイヤーロープ２９を図示矢印３１の向きに引き込む構造になっている。
【００２４】
また、この電動牽引装置２０は、ワイヤーロープ２９を引き込むように構成されており、そのワイヤーロープ２９は、ワイヤーロープ取付治具３２およびシャックル３３により、第１段加熱器加熱器３ａおよび第２段加熱器３ｂの後部に取り付けられている。
【００２５】
一方、ワイヤーロープ取付治具３２の取り付けにあたっては、最終支え板３４の後部に取り付ければよいが、構造上不可能なので、図４に示すように、最終支え板３４とその前の支え板との間に、ボルト３５により取り付ける。
【００２６】
また、図５に示すように、管束支持板１２および支え板３６とワイヤーロープ２８とが干渉しないように、またワイヤーロープ取付治具３２のボルト３５がインナーレール１５ａ，１５ｂを貫通しないように取り付ける。
【００２７】
上記のような電動牽引装置２０でワイヤーロープ２９を引き込むことにより、第１段加熱器３ａおよび第２段加熱器３ｂは、図示矢印３７の方向に挿入されていく。
【００２８】
一方、挿入台車は、高さを調整したり、第１段加熱器３ａおよび第２段加熱器３ｂの下より取り出す時のために、挿入台車上部３８と挿入台車下部３９の２分割になるように作られている。
【００２９】
また、この挿入台車の高さは、挿入台車上部３８と挿入台車下部３９との間にスペーサ４０を入れることにより、第１段加熱器３ａおよび第２段加熱器３ｂと挿入レール４１の高さにあうように構成されている。
【００３０】
さらに、下部にベアリング式コロ４２がついている。そして、このベアリング式コロ４２の両側にかさがついており、挿入レール４１上を蛇行しないでスムースに走行するように構成されている。
【００３１】
次に、以上のように構成した本実施形態の湿分分離加熱器の加熱器挿入装置における加熱器の挿入方法について説明する。
まず、図２に示すように、右側の第１段加熱器３ａを挿入する。
【００３２】
次に、この右側の第１段加熱器３ａを挿入した後に、電動牽引装置２０を電動牽引装置取付治具２１から取り外し、向きを１８０度変えてボルト２２およびナット２３で固定する。第１段加熱器３ａを挿入する際には、吊り耳２６および吊り耳固定板２７は取り付けない。そして、向きを変えた後に、左側の第１段加熱器３ａを挿入する。
【００３３】
次に、左側の第１段加熱器３ａを挿入した後に、左側に吊り耳２６および吊り耳固定板２７を取り付ける。電動牽引装置２０の向きはそのままで、滑車４３および鋼管４４によってワイヤーロープ２９の向きを変え、右側の第２段加熱器３ｂを挿入する。
【００３４】
次に、右側の第２段加熱器３ｂを挿入した後に、電動牽引装置２０の向きを１８０度変え、吊り耳２６および吊り耳固定板２７を右側に付け替えて、左側の第２段加熱器３ｂを挿入する。
【００３５】
なお、鋼管４４は、図２に示すように、Ｕベント室屋根板４５に仮付溶接で取り付けている。
また、第１段加熱器３ａおよび第２段加熱器３ｂを挿入する時の高さが違うので、第１段加熱器３ａを挿入した後に、挿入レール４１の下にスペーサを入れて挿入レール４１を嵩上げし、高さを調整してから第２段加熱器３ｂを挿入する。
【００３６】
次に、第１段加熱器３ａおよび第２段加熱器３ｂの下から、挿入台車上部３８および挿入台車下部３９を取り出す方法について説明する。
図６に示すように、挿入台車は３台で、第１段加熱器３ａおよび第２段加熱器３ｂを支えている。そして、第１段加熱器３ａおよび第２段加熱器３ｂを挿入する際に、挿入台車上部３８および挿入台車下部３９が、湿分分離加熱器本体胴１に５００ｍｍ程度まで近づいたところで、一旦電動牽引装置２０を止める。そして、挿入台車上部３８と挿入台車下部３９との間に入れてあるスペーサ４０を、挿入台車上部３８をオイルジャッキで上げることによって抜き取る。
【００３７】
次に、挿入台車下部３９および挿入台車上部３８を、いっしょにオイルジャッキで上げる。この時に、挿入レール４１の一部を抜き取る。そして、この抜き取った所にコンベヤを入れ、オイルジャッキを開放する。この状態にして、挿入台車上部３８および挿入台車下部３９をコンベヤの上を転がしながら抜き取る。
【００３８】
この時、スペーサ４０が一番高く、次にコンベヤ、その次に挿入レール４１となっている。しかし、加熱器押さえ部４６がスペーサ４０の高さが低くて当たる場合には、挿入台車上部３８を加熱器押さえ部４６を利用して、チェーンブロックやレバーブロックで吊り下げておき、挿入台車下部３９のみを抜き取る。
【００３９】
その後、挿入台車上部３８をコンベヤ上に下ろし、挿入台車上部３８を抜き取る。
また、この作業は、湿分分離加熱器本体胴１の内外に作業者をそれぞれ一人ずつ配置させ、無線を使って連絡をとりながら作業を行なう。
【００４０】
以上から明らかなように、挿入方法として２個の電動牽引装置２０を用いたり、その電動牽引装置２０を連動化することにより、作業人員を７〜８人から３人に、また作業時間を１加熱器当り約１０時間から約４時間に削減することができる。
【００４１】
また、他の作業の効率アップ、および加熱器挿入時に左右の微調整が可能になる。
上述したように、本実施形態では、横向き円筒形状の湿分分離加熱器本体胴１の内部に湿分分離エレメント２を設け、かつこの湿分分離エレメント２の上側に伝熱管８ａを備えた第１段加熱器３ａを設けて成り、原子力発電プラントにおける高圧タービンから排出されたサイクル蒸気中の湿分を除去した後に、高圧タービン抽気蒸気および原子炉発生蒸気により再熱して過熱蒸気とし、低圧タービンに供給する湿分分離加熱器の加熱器挿入装置において、湿分分離加熱器本体胴１の内部に第１段加熱器３ａを挿入するワイヤーロープ２９と、ワイヤーロープ２９により第１段加熱器３ａを挿入する際にワイヤーロープ２９を加熱器後部に取り付けるワイヤーロープ取付治具３２と、湿分分離加熱器本体胴１の内部に取り付けられ、ワイヤーロープ２９を引き込むための２個の電動牽引装置２０と、電動牽引装置２０を取り付ける電動牽引装置取付治具２１と、湿分分離加熱器本体胴１の外部に配置され、第１段加熱器３ａを支える挿入台車と、挿入台車を湿分分離加熱器本体胴１の側へ導く挿入レール４１とから構成したものである。
【００４２】
従って、引き込み方法を電動牽引装置２０としているため、作業人員、および作業時間を削減させることが可能となり、生産性を高めることができる。
また、従来のように、天井クレーンを使用しないため、他の作業に影響を与えないようにして、加熱器３ａの挿入作業を安全に行なうことが可能となる。
【００４３】
さらに、電動牽引装置２０を２個備えているため、連動にすると両側同時挿入、単動にすると片側だけの挿入を行なうことができて、左右の微調整が可能となり、もって品質面および加熱器の取り付け精度の面でも優れたものとなる。
【００４４】
【発明の効果】
以上説明したように、請求項１に対応する発明によれば、横向き円筒形状の湿分分離加熱器本体胴の内部に湿分分離エレメントを設け、かつ当該湿分分離エレメントの上側に伝熱管を備えた加熱器を設けて成り、サイクル蒸気中の湿分を除去した後に蒸気により再熱し過熱蒸気として供給する湿分分離加熱器の加熱器挿入装置において、湿分分離加熱器本体胴の内部に加熱器を挿入するワイヤーロープと、ワイヤーロープにより加熱器を挿入する際に当該ワイヤーロープを加熱器後部に取り付けるワイヤーロープ取付治具と、湿分分離加熱器本体胴の内部に取り付けられ、ワイヤーロープを引き込むための電動牽引装置と、電動牽引装置を取り付ける電動牽引装置取付治具と、湿分分離加熱器本体胴の外部に配置され、加熱器を支える挿入台車と、挿入台車を湿分分離加熱器本体胴の側へ導く挿入レールとを備えるようにしたので、引き込み装置を電動化させて、作業人員、および作業時間を削減し、しかも他の作業にも影響を与えないようにして、加熱器の挿入作業を安全に行なうことが可能な湿分分離加熱器の加熱器挿入装置が提供できる。
【００４５】
また、請求項２に対応する発明によれば、上記請求項１に対応する発明の湿分分離加熱器の加熱器挿入装置において、電動牽引装置として２個の電動牽引装置を使用し、連動による両側同時挿入、または単動による片側挿入を行なうようにしたので、連動にすると両側同時挿入、単動にすると片側だけの挿入を行なって左右の微調整ができ、品質面および加熱器の取り付け精度の面でも優れた湿分分離加熱器の加熱器挿入装置が提供できる。
【図面の簡単な説明】
【図１】本発明による湿分分離加熱器の加熱器挿入装置の一実施形態を示す概要図。
【図２】同実施形態の湿分分離加熱器の加熱器挿入装置における電動牽引装置取付治具の構成例を示す概要図。
【図３】同実施形態の湿分分離加熱器の加熱器挿入装置における電動牽引装置の構成例を示す概要図。
【図４】同実施形態の湿分分離加熱器の加熱器挿入装置におけるワイヤーロープ取付治具の構成例を示す概要図。
【図５】同実施形態の湿分分離加熱器の加熱器挿入装置におけるワイヤーロープ取付治具の取付状態を示す概要図。
【図６】同実施形態の湿分分離加熱器の加熱器挿入装置における挿入台車の構成例を示す概要図。
【図７】湿分分離加熱器の一例を示す概要図。
【図８】図７のＩ−Ｉ線に沿って破断した湿分分離加熱器の断面図。
【図９】従来の湿分分離加熱器の第１段加熱器挿入装置の構成例を示す概要図。
【符号の説明】
１…湿分分離加熱器本体胴、
３ａ…第１段加熱器、
３ｂ…第２段加熱器、
８ａ…第１段加熱器伝熱管、
８ｂ…第２段加熱器伝熱管、
１２…管束支持板、
１５ａ…第１段加熱器インナーレール、
１５ｂ…第２段加熱器インナーレール、
１８…天井クレーン、
２０…電動牽引装置、
２１…電動牽引装置取付治具、
２２…ボルト、
２３…ナット、
２４…ボルト、
２５…ナット、
２６…吊り耳、
２７…吊り耳固定板、
２８…移動ブロック、
２９…ワイヤーロープ、
３０…固定ブロック、
３１…矢印、
３２…ワイヤーロープ取付治具、
３３…シャックル、
３４…最終支え板、
３５…ボルト、
３６…支え板、
３７…矢印、
３８…挿入台車上部、
３９…挿入台車下部、
４０…スペーサ、
４１…挿入レール、
４２…ベアリング式コロ、
４３…滑車、
４４…鋼管、
４５…Ｕベント室屋根板、
４６…加熱器押さえ部。
【図１】
0003761931.tif 000002
【図２】
0003761931.tif 000003
【図３】
0003761931.tif 000004
【図４】
0003761931.tif 000005
【図５】
0003761931.tif 000006
【図６】
0003761931.tif 000007
【図７】
0003761931.tif 000008
【図８】
0003761931.tif 000009
【図９】
0003761931.tif 000010